(57)【要約】【課題】主に各種電子機器の遠隔操作に用いられ通話機能を有するリモコン装置に関し、スピーカからケース内空間を介したマイクへの音声侵入によるハウリングを抑制して、良好な通話が可能なリモコン装置を提供することを目的とする。【解決手段】ケース１１の内壁面１１Ｃに近づくに従い高さが低くなる傾斜保持部１１Ｄを、内壁面１１Ｃ近傍に設けると共に、マイク７を覆うホルダー１２を設けて、マイク７を傾斜保持部１１Ｄに載置すると共に、ホルダー１２によってマイク７を傾斜保持部１１Ｄ側へ押圧保持して、マイク７の集音孔７Ｂ側の前面を内壁面１１Ｃに当接させることによって、マイク７の前面と内壁面１１Ｃとの間の空隙を無くし、スピーカ８からケース１１内空間を介したマイク７への音声侵入によるハウリングの発生を抑制する。【選択図】図１
2012227584.tif 000002
【特許請求の範囲】
【請求項１】
略箱状のケースと、このケース内に収納されたマイク及びスピーカと、押釦の操作によって電気的接離を行うスイッチ接点と、前記マイクへの音声入力に応じて音声信号を、前記スイッチ接点の電気的接離に応じて操作信号を各々送信すると共に、外部からの音声信号に基づき前記スピーカから音声出力させる制御手段からなり、前記ケースの内壁面近傍に、前記内壁面に近づくに従い高さが低くなる傾斜保持部を設けると共に、前記マイクを覆うホルダーを設けて、前記マイクを前記傾斜保持部に載置すると共に、前記ホルダーによって前記マイクを前記傾斜保持部側へ押圧保持して、前記マイクの集音部側の前面を前記ケースの前記内壁面に当接させたリモコン装置。
【発明の詳細な説明】
【技術分野】
【０００１】
本発明は、主に各種電子機器の遠隔操作に用いられ通話機能を有するリモコン装置に関するものである。
【背景技術】
【０００２】
近年、屋外に設置された給湯器等の各種電子機器を、浴室内や屋内の側壁に取付けられたリモコン装置によって遠隔操作することや、浴室内と台所に設置したリモコン装置を介して通話を行えるものが増えてきている。
【０００３】
このような従来のリモコン装置について、図５〜図７を用いて説明する。
【０００４】
図５はリモコン装置の平面図、図６は従来のリモコン装置の断面図、図７は同要部斜視図であり、同図において、１は略箱型で絶縁樹脂製のケースで、前面の操作面１Ａの下部には複数の押釦２が押圧可能に設けられると共に、透明樹脂製のパネル３が押釦２を除くケース１上部を覆っている。
【０００５】
そして、４は表裏面に複数の配線パターン（図示せず）が形成された配線基板で、この表面の略中央には液晶表示部５が、その側方には複数の押釦２に対応したスイッチ接点としての複数のプッシュスイッチ６が各々実装され、プッシュスイッチ６先端部に押釦２の後部に突出した押圧部２Ａが当接している。
【０００６】
また、７Ａは右側面に集音部７Ｂを備えた略円柱状のマイク素子で、このマイク素子７Ａに右側が一部開口した弾性材製の外装部７Ｃが覆ってマイク７が形成されると共に、ケース１の集音孔１Ｂが形成された内壁面１Ｃにマイク７の集音部７Ｂが対向して配置されている。
【０００７】
なお、図７（ａ）に示すように、マイク７をケース１の裏面から突出形成された一対の保持爪１Ｄに後方から右側の内壁面に沿って挿入すると、マイク７が保持爪１Ｄを弾性変形させて圧入されると共に、マイク７の背面を保持壁１Ｅに当接してケース１裏面に保持され、マイク７から延出したリード線７Ｄの一端が配線基板４にはんだ付固定されて、図７（ｂ）に示すように、マイク７がケース１内側に装着される。
【０００８】
また、８は前面に音声出力部８Ａが設けられたスピーカで、ケース１の左端近傍の裏面に形成された係止部等によって保持されている。
【０００９】
さらに、配線基板４の裏面にはマイコン等が実装されて制御手段９が形成され、この制御手段９が配線パターンを介して、複数のプッシュスイッチ６や液晶表示部５、マイク７、スピーカ８及びリード線（図示せず）等に接続されると共に、ケース１の後部をカバー１０が覆ってリモコン装置が構成されている。
【００１０】
そして、このようなリモコン装置が例えば屋内の浴室内や台所の側壁に取付けられると共に、一方のリモコン装置から延出したリード線が、対となる他方のリモコン装置や屋外に設置された給湯器等の電子機器に接続されている。
【００１１】
以上の構成において、押釦２の例えば温度切換え等が表示された箇所を押圧操作すると、押圧部２Ａを介して下方のプッシュスイッチ６の電気的接離が行われる。
【００１２】
そして、このプッシュスイッチ６の電気的接離を制御手段９が検出し、この操作に応じた操作信号をリード線から電子機器へ送信して、例えば、給湯器の設定温度が高い温度や低い温度に切換わる。
【００１３】
また、例えば台所内で一方のリモコン装置の所定の押釦２を押圧すると、通話モードとなって、リモコン装置に向って通話をすると、マイク７や制御手段９を介して音声信号が浴室の他方のリモコン装置に送信され、他方のスピーカ８から音声が出力され、この状態で、浴室からの通話も同様に他方のマイク７や制御手段９を介して台所の一方のスピーカ８から音声出力されるようにして、相互に通話ができるようになっている。
【００１４】
なお、ケース１の内側に保持されたマイク７は、保持爪１Ｄや保持壁１Ｅの仕上がりや周囲温度の変化によっては、マイク７の集音部７Ｂ側の前面と内壁面１Ｃとの間に空隙が生じる場合がある。
【００１５】
そして、マイク７の前面と内壁面１Ｃとの間に空隙が生じた場合、通話中にスピーカ８の周囲から漏れた音声がケース１内の空間を伝播して、マイク７前面と内壁面１Ｃとの空隙から集音部７Ｂに侵入し、この音声信号がマイク７を介して他方のリモコン装置のスピーカ８から音声として出力され、さらにこの音声の一部が他方のマイク７を介して一方のリモコン送信機のスピーカ８から音声出力するというように、同じ音声信号が一方と他方のリモコン装置間を循環して、スピーカ８から耳障りな音として発生する、所謂、ハウリングが生じる可能性があった。
【００１６】
また、このようなハウリングを防止する方法として、マイク７の後面とカバー１０との間にゴム等の防音材を挟持させて空隙を塞ぐ方法があるが、マイク７の前面と内壁面１Ｃとの間の空隙を確実に塞ぐことが困難で、組立ても煩雑になり易いものであった。
【００１７】
なお、この出願の発明に関連する先行技術文献情報としては、例えば、特許文献１が知られている。
【先行技術文献】
【特許文献】
【００１８】
【特許文献１】特開２００３−１３４２０７号公報
【発明の概要】
【発明が解決しようとする課題】
【００１９】
しかしながら、上記従来のリモコン装置においては、マイク７の集音部７Ｂ側の前面と対向するケース１の内壁面１Ｃとの間に空隙が生じ易く、スピーカ８からの音声が空隙を介してマイク７の集音部７Ｂに侵入してハウリングが発生し、通話時の音声が聴き取り難くなる場合があるという課題があった。
【００２０】
本発明は、このような従来の課題を解決するものであり、マイクの集音部の前面をケースの内壁面に当接させて空隙を無くし、スピーカからケース内空間を介したマイクへの音声侵入によるハウリングを抑制して、良好な通話が可能なリモコン装置を提供することを目的とする。
【課題を解決するための手段】
【００２１】
上記目的を達成するために本発明は、ケースの内壁面近傍に内壁面に近づくに従い高さが低くなる傾斜保持部を設けると共に、マイクを覆うホルダーを設けて、マイクを傾斜保持部に載置すると共に、ホルダーによってマイクを傾斜保持部側へ押圧保持して、マイクの集音部側の前面をケースの内壁面に当接させたものであり、ホルダーによりマイクが傾斜保持部へ押圧されることによって、マイクが傾斜保持部の傾斜によってケースの内壁面に接近して当接して、マイクの集音部前面と内壁面との間の空隙が無くなるため、スピーカからケース内空間を介したマイクへの音声侵入によるハウリングの発生を抑制し、良好な通話が可能なリモコン装置を得ることができるという作用を有する。
【発明の効果】
【００２２】
以上のように本発明によれば、ケース内空間を介したスピーカからマイクへの音声侵入によるハウリングを抑制し、良好な通話が可能なリモコン装置を実現できるという有利な効果が得られる。
【図面の簡単な説明】
【００２３】
【図１】本発明の一実施の形態によるリモコン装置の断面図
【図２】同要部分解斜視図
【図３】同要部斜視図
【図４】同要部組立説明図
【図５】リモコン装置の平面図
【図６】従来のリモコン装置の断面図
【図７】同要部斜視図
【発明を実施するための形態】
【００２４】
以下、本発明の実施の形態について、図１〜図５を用いて説明する。
【００２５】
なお、背景技術の項で説明した構成と同一構成の部分には同一符号を付して、詳細な説明を簡略化する。
【００２６】
図１は本発明の一実施の形態によるリモコン装置の断面図、図２は同要部分解斜視図であり、図５は同平面図であり、同図において、１１は略箱型でアクリロニトリルブタジエンスチレン共重合体（以降、ＡＢＳと記載する）等の絶縁樹脂製のケースで、前面の操作面１１Ａの下部には複数の押釦２が押圧可能に設けられると共に、アクリル等の透明樹脂製のパネル３がケース１１上部を覆っている。
【００２７】
そして、４は表裏面に複数の配線パターン（図示せず）が形成された紙フェノールやガラス入りエポキシ等の配線基板で、この表面の略中央には液晶表示部５が、その側方には複数の押釦２に対応してスイッチ接点としての複数のプッシュスイッチ６が各々実装され、プッシュスイッチ６先端部に押釦２の後部に突出した押圧部２Ａが当接している。
【００２８】
また、７Ａは右側面に集音部７Ｂを備えた略円柱状のマイク素子で、このマイク素子７Ａに右側が一部開口したシリコンゴム等の弾性材製の外装部７Ｃに覆われてマイク７が形成されると共に、ケース１１の集音孔１１Ｂが形成された内壁面１１Ｃにマイク７の集音部７Ｂが対向して配置されている。
【００２９】
さらに、１２はＡＢＳ等の絶縁樹脂製のホルダーで、略半円筒状の覆い部１２Ａの両側には左右方向に延びた長孔１２Ｃが形成された取付部１２Ｂが設けられている。
【００３０】
そして、１１Ｄは操作面１１Ａ裏面に突出した略リブ状の傾斜保持部で、内壁面１１Ｃに近づくに従い高さが低くなるように傾斜すると共に、２つの傾斜保持部１１Ｄが並行して内壁面１１Ｃの近傍に形成されている。
【００３１】
また、図１や図３の要部斜視図に示すように、傾斜保持部１１Ｄ上に載置されたマイク７の後部をホルダー１２の覆い部１２Ａが覆うと共に、傾斜保持部１１Ｄ側方に突出したボス１１Ｅに取付部１２Ｂの長孔１２Ｃを挿通したネジ１３が締付けられ、マイク７の集音部７Ｂ側の前面が内壁面１１Ｃに当接して、マイク７がホルダー１２によってケース１１内に押圧保持されている。
【００３２】
なお、マイク７のケース１内への取付け方法について、図４の要部断面図を用いて説明する。
【００３３】
まず、図４（ａ）に示すように、傾斜保持部１１Ｄ上にマイク７を集音部７Ｂ側の前面が内壁面１１Ｃに対向した状態で載置し、後方からホルダー１２を被せる。
【００３４】
そして、図４（ｂ）に示すように、ネジ１３をホルダー１２の取付部１２Ｂの長孔１２Ｃに挿通してボス１１Ｅに締付けていくと、ホルダー１２が傾斜保持部１１Ｄ側へ下降する。
【００３５】
この時、ホルダー１２の内側面にマイク７の後面と左側の背面が当接しながら、長孔１２Ｃがネジ１３に、下端部のガイド溝１２Ｄが傾斜保持部１１Ｄに各々案内されて、マイク７下端が傾斜保持部１１Ｄ上を摺動しながら、マイク７は右方の内壁面１１Ｃ側へ移動する。
【００３６】
さらに、ネジ１３を締付けると、図４（ｃ）に示すように、取付部１２Ｂとボス１１Ｅとの間に隙間がある状態で、マイク７の前面が内壁面１１Ｃに当接して、集音部７Ｂが集音孔１１Ｂと対向して、マイク７がケース１１内にホルダー１２によって押圧保持される。
【００３７】
そして、マイク７背面から延出したリード線７Ｄの一端が配線基板４にはんだ付け固定されてマイク７がケース１内に装着される。
【００３８】
このように、マイク７を傾斜保持部１１Ｄに載置して長孔１２Ｃを挿通したホルダー１２をネジ１３によって締付けると、マイク７がホルダー１２の内側面に当接しながら、傾斜保持部１１Ｄに沿って移動して、マイク７の前面が内壁面１１Ｃに確実に当接するため、背景技術で述べたような予め設けられた保持爪や保持壁の間に保持させた場合に、これらの成形仕上りや周囲温度による形状変化によってマイク前面と内壁面との間に空隙が生じ易く、マイクの保持も不安定になり易いのに比べ、マイク７前面と内壁面１１Ｃとの間に空隙が無く、ケース１１内へのマイク７の安定した保持が可能となっている。
【００３９】
そして、８は前面に音声出力部８Ａが設けられたスピーカで、ケース１１の左端近傍の裏面に形成された係止部等によって保持されている。
【００４０】
また、配線基板４の裏面にはマイコン等が実装されて制御手段９が形成され、この制御手段９が配線パターン（図示せず）を介して、複数のプッシュスイッチ６や液晶表示部５、マイク７、スピーカ８及びリード線（図示せず）等に接続されると共に、ケース１１の後部をカバー１０が覆ってリモコン装置が構成されている。
【００４１】
そして、このようなリモコン装置が例えば屋内の浴室内や台所の側壁に取付けられると共に、一方のリモコン装置から延出したリード線が、対となる他方のリモコン装置や屋外に設置された給湯器等の電子機器に接続されている。
【００４２】
以上の構成において、押釦２の例えば温度切換え等が表示された箇所を押圧操作すると、押圧部２Ａを介して下方のプッシュスイッチ６の電気的接離が行われる。
【００４３】
そして、このプッシュスイッチ６の電気的接離を制御手段９が検出し、この操作に応じた操作信号をリード線から電子機器へ送信して、例えば、給湯器の設定温度が高い温度や低い温度に切換わる。
【００４４】
また、例えば台所内で一方のリモコン装置の所定の押釦２を押圧すると、通話モードとなって、リモコン装置に向って通話をすると、マイク７や制御手段９を介して音声信号が浴室の他方のリモコン装置に送信され、他方のスピーカ８から音声が出力され、この状態で、浴室からの通話も同様に他方のマイク７や制御手段９を介して台所の一方のスピーカ８から音声出力されるようにして、相互に通話ができるようになっている。
【００４５】
この時、スピーカ８前面の音声出力部８Ａから音声が出力される一方、ケース１１内にもスピーカ８の周囲から一部の音声が漏れるが、右方のマイク７の前面と内壁面１１Ｃとの間に空隙がないため、ケース内に漏れた音声が空隙を介してマイク７に集音され難くなっている。
【００４６】
したがって、スピーカ８から出力された音声がマイク７に集音されて、他方のリモコン装置のスピーカ８やマイク７を音声信号が循環することによって引き起こされるハウリングが生じ難く、良好な通話が可能な構成となっている。
【００４７】
このように本実施の形態によれば、ケース１１の内壁面１１Ｃに近づくに従い高さが低くなる傾斜保持部１１Ｄを、内壁面１１Ｃ近傍に設けると共に、マイク７を覆うホルダー１２を設けて、マイク７を傾斜保持部１１Ｄに載置すると共に、ホルダー１２によってマイク７を傾斜保持部１１Ｄ側へ押圧保持して、マイク７の集音部７Ｂ側の前面を内壁面１１Ｃに当接させることによって、マイク７の前面と内壁面１１Ｃとの間の空隙が無くなるため、スピーカ８からケース１１内空間を介したマイク７への音声侵入によるハウリングの発生を抑制し、良好な通話が可能なリモコン装置を実現することができる。
【００４８】
また、マイク７をホルダー１２によってケース１１内に装着する際に、マイク７の後面や背面をホルダー１２の内側面を押圧しながら、マイク７が傾斜保持部１１Ｄに沿って移動して、マイク７前面が内壁面１１Ｃに当接して装着されるため、ケース１１内への保持が確実で安定したものとなる。
【００４９】
なお、以上の説明では、マイク７前面をケース１１の右側の内壁面に当接させた構成として説明したが、ケース１１の操作面１１Ａに集音孔を設けると共に、この集音孔を含む内壁面の近傍に傾斜保持部やボスを設けて、ホルダーやネジによる押圧保持によって、マイク７の前面を操作面１１Ａ裏面の内壁面に当接させる構成としても本発明の実施は可能である。
【産業上の利用可能性】
【００５０】
本発明によるリモコン装置は、ハウリングを抑制して良好な通話が可能で、ケースへの安定したマイク保持が可能なものを得ることができ、主に各種電子機器の遠隔操作に用いられ通話機能を有するリモコン装置等に有用である。
【符号の説明】
【００５１】
２  押釦
２Ａ  押圧部
３  パネル
４  配線基板
５  液晶表示部
６  プッシュスイッチ
７  マイク
７Ａ  マイク素子
７Ｂ  集音部
７Ｃ  外装部
７Ｄ  リード線
８  スピーカ
８Ａ  音声出力部
９  制御手段
１０  カバー
１１  ケース
１１Ａ  操作面
１１Ｂ  集音孔
１１Ｃ  内壁面
１１Ｄ  傾斜保持部
１１Ｅ  ボス
１２  ホルダー
１２Ａ  覆い部
１２Ｂ  取付部
１２Ｃ  長孔
１２Ｄ  ガイド溝
１３  ネジ
【図１】
2012227584.tif 000003
【図２】
2012227584.tif 000004
【図３】
2012227584.tif 000005
【図４】
2012227584.tif 000006
【図５】
2012227584.tif 000007
【図６】
2012227584.tif 000008
【図７】
2012227584.tif 000009